(57)【要約】【課題】容器内の液体が減って残りがごく少量になった際にも、簡便に液体を吸引できるスポイト付きキャップ、およびこれを備えたスポイト付き容器を提供する。【解決手段】容器本体１２の口部１２ａに設けられるスポイト付きキャップ２０であって、前記容器本体１２の前記口部１２ａに着脱自在に取り付けられる蓋体３２と、一端の開口を吸引注出口２４とする吸上げ管２２と、前記吸上げ管２２の他端側に設けられ、前記吸上げ管２２を前記蓋体３２に対し軸方向に移動可能に保持する弾性操作体２６とを有することを特徴とする。【選択図】図１
2018167840.tif 000002
【特許請求の範囲】
【請求項１】
容器本体の口部に設けられるスポイト付きキャップであって、
前記容器本体の前記口部に着脱自在に取り付けられる蓋体と、
一端の開口を吸引注出口とする吸上げ管と、
前記吸上げ管の他端側に設けられ、前記吸上げ管を前記蓋体に対し軸方向に移動可能に保持する弾性操作体とを有することを特徴とするスポイト付きキャップ。
【請求項２】
前記弾性操作体は、内容積が変化する押圧部と、前記吸上げ管の軸方向に弾性伸縮可能な伸縮部とを含むことを特徴とする請求項１記載のスポイト付きキャップ。
【請求項３】
前記伸縮部は、前記押圧部の基端に一体に設けられていることを特徴とする請求項２記載のスポイト付きキャップ。
【請求項４】
前記伸縮部は、蛇腹状部材であることを特徴とする請求項２または３記載のスポイト付きキャップ。
【請求項５】
前記吸上げ管は、合成樹脂製であることを特徴とする請求項１〜４のいずれか１項記載のスポイト付きキャップ。
【請求項６】
容器本体と、請求項１〜５のいずれか１項記載のスポイト付きキャップとを備えたことを特徴とするスポイト付き容器。
【発明の詳細な説明】
【技術分野】
【０００１】
本発明は、スポイト付きキャップ、およびこれを備えたスポイト付き容器に関する。
【背景技術】
【０００２】
容器内に収容した液体を吸い上げて別の容器等に移動するために、スポイトセットが用いられている（例えば、特許文献１）。特許文献１のスポイトセットにおけるスポイトパイプは、ガラス製で、弧状形吸排口を下部に有する。スポイトパイプの頂部は、スポイトゴムの開口部に挿入され、そのスポイトゴムの基部は穴あきキャップの穴部に装着されている。
【０００３】
特許文献１のスポイトセットにおいては、スポイトパイプの弧状形吸排口は、先端に向かって細くなるように成形されている。容器内の少量の液体を吸い上げる際、容器を斜め又はほぼ横に傾けると共にスポイトパイプの弧状吸排口を下に向けると、当該吸排口は、液体の集まった容器内面にほぼ正対して接触する。これによって、特許文献１のスポイトセットは、容器内の少量の液体を吸い上げることができることが記載されている。
【先行技術文献】
【特許文献】
【０００４】
【特許文献１】実用新案登録第３０６９５３３号公報
【発明の概要】
【発明が解決しようとする課題】
【０００５】
上記特許文献１の場合、スポイトパイプの先端の吸排口は、容器の内底から少し離れているため、容器内の液体がごく少量になると、容器を立てたままでは容器内の少量の液体を吸引しきれない。特許文献１では、スポイトパイプの先端の吸排口が液体に接するように容器を斜め又はほぼ横に傾けることによって、液体の吸引を可能としている。しかしながら、液体が収容されている容器を傾ける必要があり、作業が制約されてしまう。
【０００６】
そこで本発明は、容器内の液体が減って残りがごく少量になった際にも、簡便に液体を吸引できるスポイト付きキャップ、およびこれを備えたスポイト付き容器を提供することを目的とする。
【課題を解決するための手段】
【０００７】
本発明に係るスポイト付きキャップは、容器本体の口部に設けられるスポイト付きキャップであって、前記容器本体の前記口部に着脱自在に取り付けられる蓋体と、一端の開口を吸引注出口とする吸上げ管と、前記吸上げ管の他端側に設けられ、前記吸上げ管を前記蓋体に対し軸方向に移動可能に保持する弾性操作体とを有することを特徴とする。
【０００８】
本発明に係るスポイト付き容器は、容器本体と、前述のスポイト付きキャップとを備えたことを特徴とする。
【発明の効果】
【０００９】
本発明によれば、スポイト付きキャップは、弾性操作体における伸縮部が収縮することによって、吸上げ管が蓋体に対して軸方向に移動する。こうしたスポイト付きキャップを備えたスポイト付き容器においては、伸縮部の収縮により吸上げ管は容器本体の内底面に向けて押し下げられて、吸上げ管の吸引注出口が下降する。これによって、スポイト付き容器においては、容器本体内の液体が減って残りがごく少量になった際にも、吸上げ管内に簡便に液体を吸引することができる。
【図面の簡単な説明】
【００１０】
【図１】本実施形態に係るスポイト付き容器の部分断面を示す図である。
【図２】本実施形態に係るスポイト付き容器において、スポイト付きキャップの蓋体を開栓して容器本体の口部上に載置した状態の部分断面を示す図である。
【図３】図２に示すスポイト付き容器において、スポイト付きキャップの伸縮部が収縮した状態の部分断面を示す図である。
【図４】従来のスポイト付き容器の部分断面を示す図である。
【図５】従来のスポイト付き容器において、スポイト付きキャップの蓋体を開栓して容器本体の口部上に載置した状態の部分断面を示す図である。
【発明を実施するための形態】
【００１１】
以下、図面を参照して本発明の実施形態について詳細に説明する。
【００１２】
（全体構成）
図１に示すスポイト付き容器１０は、内容液を収容する容器本体１２と、この容器本体１２の口部１２ａに設けられるスポイト付きキャップ２０とを備える。容器本体１２は、例えば外形が円形のガラス製とすることができる。スポイト付きキャップ２０は、容器本体１２の口部１２ａに着脱自在に取り付けられる蓋体３２と、容器本体１２内の内容液を吸い上げる吸上げ管２２と、内容液の吸引や注出の操作を行なうための弾性操作体２６とを備える。
【００１３】
蓋体３２は、吸上げ管２２が貫通する天部３２ａと、該天部３２ａの外縁から一体に設けられた円筒部３２ｂとを有している。蓋体３２は、プラスチックなどの合成樹脂で構成することができる。蓋体３２の円筒部３２ｂは、容器本体１２の口部１２ａに螺合可能である。スポイト付きキャップ２０は、円筒部３２ｂを口部１２ａに螺合させることにより蓋体３２を口部１２ａに取り付けて、図１に示すように容器本体１２を閉栓することができる。
【００１４】
吸上げ管２２は、蓋体３２の天部３２ａを貫通し、一端の開口を吸引注出口２４とする。本実施形態においては、吸上げ管２２は、プラスチックなどの合成樹脂で構成することができる。
【００１５】
弾性操作体２６は、吸上げ管２２の他端側に設けられ、吸上げ管２２を蓋体３２に対し軸方向に移動可能に保持している。弾性操作体２６は、内容積が変化する押圧部２８（図２参照）で、吸上げ管２２の他端の開口を閉じている。本実施形態においては、押圧部２８は、矢印Ａで示す横方向に押し潰すことにより弾性変形して、内容積が減少する。押圧部２８は、ゴム等の弾性体により構成することができる。押圧部２８の内容積が変化することで、吸上げ管２２の吸引注出口２４を介して、容器本体１２内の図示しない液体（以下、内容液とも称する）の吸引・注出を行うことができる。
【００１６】
弾性操作体２６は、押圧部２８に加えて伸縮部３０を備えている。伸縮部３０は、押圧部２８の基端に設けられ、吸上げ管２２の軸方向に弾性伸縮可能である。例えば、押圧部２８の押し下げによって、伸縮部３０は矢印Ｂ方向に収縮する。伸縮部３０が収縮することで、吸上げ管２２は蓋体３２に対し軸方向下方に移動する。
【００１７】
なお、図１には蓋体３２は閉栓状態で示されているが、開栓された際には、吸上げ管２２の吸引注出口２４と容器本体１２の内底面１２ｂとの距離が、図２に示すようにＤ１に増大する。伸縮部３０は、吸上げ管２２が、この距離Ｄ１を移動することができるように構成されている。
【００１８】
本実施形態においては、伸縮部３０は、押圧部２８の基端に一体に設けられている。伸縮部３０は、下端の外向部３０ａで蓋体３２の天部３２ａに装着されている。伸縮部３０は、弾性伸縮可能なゴム等の弾性体から構成することができる。伸縮部３０としては、例えば、蛇腹状部材が挙げられる。
【００１９】
（動作及び効果）
上記のように構成されたスポイト付き容器１０は、スポイト付きキャップ２０の弾性操作体２６を操作することによって、容器本体１２の内容液の吸引・注出を行うことができる。
【００２０】
スポイト付きキャップ２０による内容液の吸引は、一般的には、蓋体３２を取り外した状態で行なわれる。図２に示すようにスポイト付きキャップ２０の蓋体３２を開栓して、容器本体１２の口部１２ａの上に蓋体３２を取り外し可能に載置する。このとき、吸上げ管２２の吸引注出口２４は、容器本体１２の内底面１２ｂから距離Ｄ１だけ上方に離れている。
【００２１】
容器本体１２内の内容液を吸上げ管２２内に吸引するには、押圧部２８を押し潰して内容積を減少させた後、吸上げ管２２の吸引注出口２４を内容液に浸す。内容液の液面がＤ１より上にあり、蓋体３２を容器本体１２の口部１２ａ上に載置した状態で吸引注出口２４が内容液に浸されている場合には、通常の操作を行なえばよい。具体的には、スポイト付きキャップ２０を持ち上げて吸上げ管２２の吸引注出口２４を内容液の外に出し、押圧部２８を矢印Ａで示される横方向に押し潰す。これにより、押圧部２８は弾性変形して内容積が減少する。
【００２２】
押圧部２８を押し潰して内容積が減少した状態を保ったまま、吸上げ管２２の吸引注出口２４を内容液に浸し、次いで、押圧部２８の押し潰しを解除する。押圧部２８の形状が弾性復元する際、吸引注出口２４を介して吸上げ管２２内に内容液が吸引される。
【００２３】
本実施形態のスポイト付きキャップ２０は、内容液の液面がＤ１より下にある場合でも、蓋体３２を容器本体１２の口部１２ａ上に載置した状態で、吸上げ管２２内に内容液を吸引することができる。これを達成するためには、押圧部２８を矢印Ａ方向に押し潰し、さらに、弾性操作体２６を矢印Ｃ方向に押し下げる。押圧部２８は、上述したように弾性変形して内容積が減少する。押圧部２８の内容積が減少するのに加えて、伸縮部３０が弾性伸縮して矢印Ｂ方向に収縮する。
【００２４】
伸縮部３０が収縮すると、図３に示すように押圧部２８が蓋体３２に接近する。これによって、吸上げ管２２が蓋体３２に対して軸方向に移動する。吸上げ管２２は、容器本体１２の内底面１２ｂに向けて押し下げられるので、吸引注出口２４と内底面１２ｂとの距離が初期のＤ１より小さくなる。伸縮部３０が完全に収縮した際には、吸引注出口２４が容器本体１２の内底面１２ｂに達するまで、吸上げ管２２を押し下げることができる。伸縮部３０が収縮することによって、吸上げ管２２の吸引注出口２４は内容液中に浸されることとなる。
【００２５】
弾性操作体２６を押し下げて伸縮部３０を収縮させ、吸引注出口２４を内容液中に浸した状態で、押圧部２８の押し潰しを解除する。押圧部２８の形状が弾性復元する際、吸引注出口２４を介して吸上げ管２２内に内容液が吸引される。内容液が吸い上げ管２２内に吸引された後、弾性操作体２６の押し下げを解除すると、伸縮部３０は弾性伸張して初期の状態に戻る（図２）。吸上げ管２２の吸引注出口２４の位置は、容器本体１２の内底面１２ｂの上方Ｄ１の距離となる。
【００２６】
吸上げ管２２の内部に吸引された内容液は、押圧部２８を矢印Ａ方向に押し潰すことによって、吸引注出口２４から目的の容器等に注出することができる。
【００２７】
上述したとおり、スポイト付きキャップ２０においては、弾性操作体２６の伸縮部３０が矢印Ｂ方向に収縮することによって、吸上げ管２２が蓋体３２に対して軸方向に移動する。スポイト付きキャップ２０を備えたスポイト付き容器１０においては、吸上げ管２２が容器本体１２の内底面１２ｂに向けて押し下げられて、吸引注出口２４が下降する。吸引注出口２４が内容液に浸されるので、スポイト付きキャップ２０は、容器本体１２内の少量の内容液を吸い上げ管２２内に吸引することができる。
【００２８】
本実施形態においては、容器本体１２内の少量の内容液を吸引するために、容器本体１２を斜め又はほぼ横に傾ける必要はない。スポイト付き容器１０は、容器本体１２を実質的に立てたまま、蓋体３２を口部１２ａの上に載置した状態で、容器本体１２内の少量の内容液を簡便に吸引可能である。
【００２９】
従来のスポイト付き容器では、容器本体内の内容液が減って残りがごく少量になった際、容器本体を実質的に立てたまま、蓋体を口部の上に載置した状態で内容液を吸引することはできない。図４を参照して、従来のスポイト付き容器について説明する。従来のスポイト付き容器４０におけるスポイト付きキャップ５０は、容器本体１２の口部１２ａに着脱自在に取り付けられる蓋体６０と、吸上げ管５２と押圧部５８とを備える。
【００３０】
従来のスポイト付きキャップ５０は、実施形態のスポイト付きキャップ２０における弾性操作体２６が、押圧部５８のみで構成されたものに相当する。スポイト付きキャップ５０においては、押圧部５８は、下端の外向部５８ａで蓋体６０の天部６０ａに装着されている。こうしたスポイト付きキャップ５０においては、吸上げ管５２を、蓋体６０に対して軸方向に移動させることができない。したがって、閉栓状態での吸引注出口５４と容器本体１２の内底面１２ｂとの距離Ｄ２は、これ以上小さくならない。
【００３１】
スポイト付きキャップ５０で容器本体１２の内容液を吸引するためには、まず、図５に示すようにスポイト付きキャップ５０の蓋体６０を開栓して、蓋体６０を容器本体１２の口部１２ａの上に取り外し可能に載置する。このとき、吸上げ管５２の吸引注出口５４は、容器本体１２の内底面１２ｂから距離Ｄ２だけ上方に離れることになる。
【００３２】
容器本体１２中の内容液の液面がＤ２より上にあって、吸引注出口５４が内容液に浸されている場合には、通常の操作を行なって吸上げ管５２内に内容液を吸引することができる。
【００３３】
内容液の液面がＤ２より下にある場合には、蓋体６０を閉栓して吸上げ管５２を下方に移動させれば、吸引注出口５４を内容液に浸すことができる。ただし、吸上げ管５２内に内容液を吸引するためには、閉栓に先立って、押圧部５８を押し潰して内容積を減少させることが求められる。押圧部５８の内容積を減少させた状態で、閉栓して吸引注出口５４を内容液に浸す。次いで、押圧部５８の押し潰しを解除することによって、吸上げ管５２内に内容液を吸引することができる。
【００３４】
容器本体１２内の内容液がごく少量となって液面がＤ２より下にある場合には、蓋体６０を閉栓しても、吸上げ管５２の吸引注出口５４は内容液に達しない。従来のスポイト付き容器４０では、蓋体６０を容器本体１２の口部１２ａ上に載置し、容器本体１２を実質的に立てたままでは、容器本体１２内のごく少量の内容液を吸引することは不可能である。
【００３５】
（変形例）
本発明は上記実施形態に限定されるものではなく、本発明の趣旨の範囲内で適宜変更することが可能である。
【００３６】
例えば、容器本体１２の外形は、多角形とすることができる。容器本体１２は、合成樹脂製としてもよい。スポイト付きキャップ２０における蓋体３２の円筒部３２ｂが螺合できる口部１２ａを有していれば、容器本体１２は、任意の材質で任意の形状とすることができる。
【００３７】
上記実施形態においては、押圧部２８は、横方向に押し潰すことによって内容積が減少する構造としたが、これに限定されない。弾性変形により内容積が減少すれば、押圧部２８は、任意の方向に押し潰す構造とすることができる。
【００３８】
スポイト付きキャップ２０における弾性操作体２６の伸縮部３０は、押圧部２８の基端に一体に設けられたものであるが、これに限定されない。押圧部２８と蓋体３２との間に介在して、吸上げ管２２の軸方向で弾性収縮できれば、伸縮部３０は、押圧部２８とは別個の部品としてもよい。伸縮部３０は、蛇腹状部材の他、ドーム状等の弾性伸縮可能な部材を用いることもできる。
【００３９】
また、スポイト付きキャップ２０における吸上げ管２２は、ガラス製としてもよい。この場合には、吸上げ管２２の先端（吸引注出口２４）の破損の防止を考慮することが望まれる。例えば、閉栓状態において伸縮部３０が収縮するのを避けるために、弾性操作体２６を覆う保護カバーを設けることができる。保護カバーは、例えば、蓋体３２に外嵌される円筒状であって、閉じた頂部を有し、下部の円周内面に複数の突条が設けられた構造とすることができる。保護カバーの材質は、プラスチックなどの合成樹脂製とすることには特に限定されない。
【符号の説明】
【００４０】
１０，４０      スポイト付き容器
１２            容器本体
１２ａ          口部
１２ｂ          内底面
２０，５０      スポイト付きキャップ
２２，５２      吸上げ管
２４，５４      吸引注出口
２６            弾性操作体
２８，５８      押圧部
３０            伸縮部
３２，６０      蓋体
【図１】
2018167840.tif 000003
【図２】
2018167840.tif 000004
【図３】
2018167840.tif 000005
【図４】
2018167840.tif 000006
【図５】
2018167840.tif 000007